(57)【特許請求の範囲】
【請求項１】
オフセット輪転印刷機を構成する各ユニット毎に対応して設けられたサーボモータで駆動され、対向して設置した紙押さえ用ローラと協動して印刷用紙を送る紙引き用ドラグローラを備えたオフセット輪転印刷機における印刷用紙に与えたテンションの維持方法であって、
前記紙押さえ用ローラは印刷機が停止している状態では前記ドラグローラから離れており、前記印刷用紙にテンションを与え、該テンションが所定値に達したとき、該テンションを維持するために前記紙押さえ用ローラで印刷用紙を押さえると共に前記ドラグローラを駆動するサーボモータにスピード０を指示し、前記紙押さえ用ローラで印刷用紙を押しつけて前記テンションを前記所定値に維持することを特徴とするオフセット輪転印刷機における印刷用紙のテンション維持方法。
【請求項２】
オフセット輪転印刷機を構成する各ユニット毎に対応して設けられたサーボモータで駆動され、対向して設置した紙押さえ用ローラと協動して印刷用紙を送る紙引き用ドラグローラを備えたオフセット輪転印刷機における印刷用紙に与えたテンションの維持方法であって、
前記紙押さえ用ローラは印刷機が停止している状態では前記ドラグローラから離れており、前記印刷用紙にテンションを与えるときには前記紙押さえ用ローラで印刷用紙を前記ドラグローラに押し付けると共に、印刷用紙に与える所定値のテンションに対応したトルクを制御目標値として前記ドラグローラ駆動用サーボモータをトルク制御駆動し、該トルクが前記制御目標値に達したことを検出した時、前記ドラグローラ駆動用サーボモータにスピード０を指示し、前記テンションを前記所定値に維持することを特徴とするオフセット輪転印刷機における印刷用紙のテンション維持方法。
【請求項３】
前記ドラグローラに接触させる紙押さえ用ローラが、オフセット輪転印刷機を構成する印刷部を挟んで設けられたインフィード部とクーリング部における二つの前記ドラグローラに対向して設置された紙押さえ用ローラであることを特徴とする請求項１若しくは２に記載したオフセット輪転印刷機における印刷用紙のテンション維持方法。
【請求項４】
オフセット輪転印刷機を構成する各ユニット毎に対応して設けられたサーボモータで駆動され、対向して設置した紙押さえ用ローラと協動して印刷用紙を送る紙引き用ドラグローラを有し、各色に対応した複数の印刷ユニットにおけるインキローラに、印刷ユニット毎に異なるインキ量を予備供給できるようにしたオフセット輪転印刷機におけるインキ予備供給方法であって、
前記紙押さえ用ローラは印刷機が停止している状態では前記ドラグローラから離れており、前記印刷用紙にテンションを与え、該テンションが所定値に達したとき、該テンションを維持するために前記紙押さえ用ローラで印刷用紙を押さえると共に前記ドラグローラを駆動するサーボモータにスピード０を指示し、前記紙押さえ用ローラで印刷用紙を前記ドラグローラに押しつけて前記テンションを前記所定値に維持し、前記各印刷ユニット毎に設定したインキ予備供給量に対応した時間だけ前記各印刷ユニット毎のサーボモータを駆動してインキ予備供給を行うことを特徴とするオフセット輪転印刷機におけるインキ予備供給方法。
【請求項５】
オフセット輪転印刷機を構成する各ユニット毎に対応して設けられたサーボモータで駆動され、対向して設置した紙押さえ用ローラと協動して印刷用紙を送る紙引き用ドラグローラを有し、各色に対応した複数の印刷ユニットにおけるインキローラに、印刷ユニット毎に異なるインキ量を予備供給できるようにしたオフセット輪転印刷機におけるインキ予備供給方法であって、
前記紙押さえ用ローラは印刷機が停止している状態では前記ドラグローラから離れており、前記印刷用紙にテンションを与えるときには前記紙押さえ用ローラで印刷用紙を前記ドラグローラに押しつけると共に、印刷用紙に与える所定値のテンションに対応したトルクを制御目標値として前記ドラグローラ駆動用サーボモータをトルク制御駆動し、該トルクが前記制御目標値に達したことを検出したとき、前記ドラグローラ駆動用サーボモータにスピード０を指示して前記テンションを前記所定値に維持し、前記各印刷ユニット毎に設定したインキ予備供給量に対応した時間だけ前記各印刷ユニット毎のサーボモータを駆動してインキ予備供給を行うことを特徴とするオフセット輪転印刷機におけるインキ予備供給方法。
【請求項６】
前記ドラグローラに接触させる紙押さえ用ローラが、オフセット輪転印刷機を構成する印刷部を挟んで設けられたインフィード部とクーリング部における二つの前記ドラグローラに対向して設置された紙押さえ用ローラであることを特徴とする請求項４若しくは５に記載したオフセット輪転印刷機におけるインキ予備供給方法。
【発明の詳細な説明】
【０００１】
【発明の属する技術分野】
本発明は、オフセット輪転印刷機におけるテンション維持方法及びそのテンション維持を利用したインキ予備供給方法に関し、特にインキ予備供給に際しては、印刷用紙がブランケット胴に取られて断紙するのを防止するため印刷用紙にテンションを掛けるが、本発明はこういったテンションを維持する好適な方法を提供すると共にそのテンション維持を利用したインキ予備供給方法に関するものである。
【０００２】
【従来の技術】
オフセット輪転印刷機においては、印刷開始直後から安定した印刷濃度を実現するため、特開平５−９６７０９号公報、及び特開平１０−１６１９３号公報などに開示されているように、胴抜きして印刷ユニットを一定速度で空転させ、版胴の特定回転毎にインキ呼び出しローラでインキ元ローラからインキローラへインキを受け渡しし、インキローラ上に画線率に依存しない基準量のインキ膜厚を形成したり、更にその上に絵柄画線率に依存するインキ膜厚を形成したりするインキ予備供給（ＱＳＩ：Ｑｕｉｃｋ  Ｓｔａｒｔ  Ｉｎｋｉｎｇ）が行われている。そしてこのインキ予備供給の際に、印刷用紙がブランケット胴に取られて断紙するのを防ぐため、印刷用紙に一定のテンションをかけて張り、インキ予備供給の間これを維持してブランケット胴に接触するのを防ぐようにしている。しかしながら、従来の主軸（ラインシャフト）を用いたオフセット輪転印刷機には、機構的に印刷機を停止させたままテンションを維持する方法が無く、そのため印刷ユニット前後に印刷用紙のクランピングデバイスを設け、これによってテンションをかけた印刷用紙を保持していた。
【０００３】
これを図４５に示した従来のシャフトドライブ型オフセット輪転印刷機を例に簡単に説明すると、通常の印刷においては、給紙装置１にセットされた印刷用紙（ウェブ）１７が紙引き用のインフィードドラグローラ９とテンション調節用のダンサローラ１０などを備えたインフィード部２で引き出され、各色の印刷ユニット３１、３２、３３、３４を備えた印刷部で印刷される。そして乾燥部４で印刷インキが乾燥され、クーリング部５で冷却された後ウェブパス部６を通って折機部７で紙折りされ、断裁されて排紙される。そしてこれらの各ユニットは、各ユニットに設けた駆動軸に主軸（ラインシャフト）４５からクラッチＣを介して駆動力が伝達されるよう構成され、さらにその主軸（ラインシャフト）４５は、印刷機制御装置４２からの指令によってモータ速度を制御する主機制御装置４３で制御される、印刷機全体を駆動できるだけの出力を持った１台のメインモータ４４によって駆動されている。そしてこのオフセット輪転印刷機の例えばインフィード部２、クーリング部５、ウェブパス部６、折機部７のそれぞれには、紙引き用のインフィードドラグローラ９、クーリングドラグ１１、ウェブパスドラグ１２、折機ドラグ１３などのドラグローラとそれぞれのドラグローラに対向して紙押さえ用ローラ等が設けられ、これらドラグローラと紙押さえローラによって印刷用紙が送られている。
【０００４】
しかしながらこれらドラグローラは、印刷機が停止しているとき、またはクラッチＣが切られているときはフリーに回転可能であり、例えテンションを張ったとしても、これらドラグローラや紙押さえローラではせっかく張ったテンションを維持することができない。そのため前記したように、印刷ユニットへの入り口部と出口部、すなわち紙引き用のインフィードドラグローラ９と印刷ユニット３１、３２、３３、３４との間、及び印刷ユニット３１、３２、３３、３４と乾燥部４との間に、印刷用紙の幅方向をしっかり押さえるようゴム板などを用いたクランピングデバイス４０、４１を設け、インキ予備供給時にテンションを張った状態を維持できるようにしている。
【０００５】
そして、このように構成された従来のオフセット輪転印刷機においては、インキ予備供給に際してまず印刷機を緩動速運転し、印刷用紙にテンションを付与すると共にテンション検出装置８でテンションを検出して所定のテンションになったら印刷機をゆっくり停止させ、クランピングデバイス４０、４１によって印刷用紙にテンションをかけた状態を維持しながら押さえてやる。そして、前記したように胴抜きして印刷ユニット３１、３２、３３、３４を一定速度で空転させ、版胴の特定回転毎にインキ呼び出しローラでインキ元ローラからインキローラへインキを受け渡しし、図６に示したように、インキローラ上に画線率に依存しない基準量のインキ膜厚５０や、絵柄画線率に依存するインキ膜厚５１を形成する。
【０００６】
なおこのインキ予備供給は、通常のイエロー、マゼンタ、シアン、ブラックの４色のみを使い、前ジョブ終了時に前ジョブの絵柄画線率に依存するインキ膜厚５１を刷り減らしした場合は絵柄画線率に依存するインキ膜厚５１だけを復元すればよいが、特色などの印刷を行うためにインキローラを洗浄した場合、インキローラ上には画線率に依存しない基準量のインキ膜厚５０と、絵柄画線率に依存するインキ膜厚５１の両方を復元する必要があり、この場合は他のインキローラに比べて長時間のインキ予備供給を行う必要がある。しかしながら、従来のシャフトドライブ型オフセット輪転印刷機においては、個々の印刷ユニット３１、３２、３３、３４は主軸（ラインシャフト）４５から駆動力が伝達される駆動軸で駆動されており、印刷ユニットの運転時（空転時含む）にクラッチＣを切って駆動力を切り離すことはできない。そのため、印刷ユニット３１、３２、３３、３４の空転時間を別々に制御する方法がなく、特定の印刷ユニットのみを残して他の印刷ユニットのクラッチＣを切り、残した印刷ユニットのインキローラに画線率に依存しない基準量のインキ膜厚５０を形成した後すべての印刷ユニットのクラッチＣを入れ、絵柄画線率に依存するインキ膜厚５１を復元するなどの時間と手間のかかる方法を取っていた。
【０００７】
【発明が解決しようとする課題】
しかしながら、前記したこのクランピングデバイス４０、４１は、幅の広い印刷用紙を幅方向にわたってしっかり保持する必要があり、大型になると共に高価である。また、クランピングデバイス４０、４１上にほこりや紙粉が付いたりすると印刷用紙が滑り、せっかく与えたテンションを維持できないという現象が生じたりするので定期的な掃除が必要で、メンテナンス性が悪い。さらにインキ予備供給にあっても個々の印刷ユニットの空転時間を別々に制御できないということは、前記したようにインキ予備供給に時間がかかり、印刷の前準備が煩雑化すると共に時間を要することになる。しかし前記特開平５−９６７０９号公報、及び特開平１０−１６１９３号公報などには、単にインキ予備供給のことが記されているだけで、こういったことに対処する方法は示されていない。
【０００８】
そのため本発明においては、高価なクランピングデバイスのような機構を用いること無く印刷用紙に与えられたテンションを維持する方法を提供することが第１の課題であり、そしてこのテンション維持方法を用いて印刷ユニット毎に個別にインキ予備供給を行えるようにする方法を提供することが第２の課題である。
【０００９】
【課題を解決するための手段】
上記第１の課題を解決するため請求項１に記載した発明は、
オフセット輪転印刷機を構成する各ユニット毎に対応して設けられたサーボモータで駆動され、対向して設置した紙押さえ用ローラと協動して印刷用紙を送る紙引き用ドラグローラを備えたオフセット輪転印刷機における印刷用紙に与えたテンションの維持方法であって、
前記紙押さえ用ローラは印刷機が停止している状態ではドラグローラから離れており、前記印刷用紙にテンションを与え、該テンションが所定値に達したとき、該テンションを維持するために前記紙押さえ用ローラで印刷用紙を前記ドラグローラに押さえると共に前記ドラグローラを駆動するサーボモータにスピード０を指示し、前記紙押さえ用ローラで印刷用紙を押しつけて前記テンションを前記所定値に維持することを特徴とする。
又請求項２記載の発明は、オフセット輪転印刷機を構成する各ユニット毎に対応して設けられたサーボモータで駆動され、対向して設置した紙押さえ用ローラと協動して印刷用紙を送る紙引き用ドラグローラを備えたオフセット輪転印刷機における印刷用紙に与えたテンションの維持方法であって、
前記紙押さえ用ローラは印刷機が停止している状態ではドラグローラから離れており、前記印刷用紙にテンションを与えるときには前記紙押さえ用ローラで印刷用紙を前記ドラグローラに押し付けると共に、印刷用紙に与える所定値のテンションに対応したトルクを制御目標値として前記ドラグローラ駆動用サーボモータをトルク制御駆動し、該トルクが前記制御目標値に達したことを検出した時、前記ドラグローラ駆動用サーボモータにスピード０を指示し、前記テンションを前記所定値に維持することを特徴とする。
【００１０】
このように紙引き用のドラグローラと紙押さえローラを用い、テンションが所定値になった時に紙押さえローラで印刷用紙を押さえる、あるいは紙押さえローラで印刷用紙を押さえ、ドラグローラによってテンション付与すると共にテンションが所定値になったことを検出し、サーボモータのスピードを０とすることにより、サーボモータは印刷用紙に対してブレーキになって付与されたテンションが弛むことが無く、クランピングデバイスなどの特別な装置を設けることなく印刷用紙にかけたテンションを維持することができ、安価で確実なオフセット輪転印刷機における印刷用紙のテンション維持方法を提供することができる。
【００１１】
そして前記請求項１又は２記載の発明のテンション維持のための紙押さえは、請求項３、６に記載したように、
前記ドラグローラに接触させる紙押さえ用ローラが、オフセット輪転印刷機を構成する印刷部を挟んで設けられたインフィード部とクーリング部における二つのドラグローラに対向して設置された紙押さえ用ローラであることを特徴とする。
【００１２】
このように、インフィード部とクーリング部で紙押さえしてテンションを維持することによって、印刷部に最も近い位置でテンションを維持することができ、テンションを確実に維持することができる。
【００１３】
そして前記発明テンションの維持方法利用した本発明におけるインキ予備供給は、請求項４に記載したように、オフセット輪転印刷機を構成する各ユニット毎に対応して設けられたサーボモータで駆動され、対向して設置した紙押さえ用ローラと協動して印刷用紙を送る紙引き用ドラグローラを有し、各色に対応した複数の印刷ユニットにおけるインキローラに、印刷ユニット毎に異なるインキ量を予備供給できるようにしたオフセット輪転印刷機におけるインキ予備供給方法であって、
前記紙押さえ用ローラは印刷機が停止している状態ではドラグローラから離れており、前記印刷用紙にテンションを与え、該テンションが所定値に達したとき、該テンションを維持するために前記紙押さえ用ローラで印刷用紙を押さえると共に前記ドラグローラを駆動するサーボモータにスピード０を指示し、前記各印刷ユニット毎に設定したインキ予備供給量に対応した時間だけ前記各印刷ユニット毎のサーボモータを駆動してインキ予備供給を行うことを特徴とするオフセット輪転印刷機におけるインキ予備供給方法にあり、
又請求項５に記載したように、オフセット輪転印刷機を構成する各ユニット毎に対応して設けられたサーボモータで駆動され、対向して設置した紙押さえ用ローラと協動して印刷用紙を送る紙引き用ドラグローラを有し、各色に対応した複数の印刷ユニットにおけるインキローラに、印刷ユニット毎に異なるインキ量を予備供給できるようにしたオフセット輪転印刷機におけるインキ予備供給方法であって、
前記紙押さえ用ローラは印刷機が停止している状態ではドラグローラから離れており、前記印刷用紙にテンションを与えるときには前記紙押さえ用ローラで印刷用紙を押さえると共に、印刷用紙に与える所定値のテンションに対応したトルクを制御目標値として前記ドラグローラ駆動用サーボモータをトルク制御駆動し、該トルクが前記制御目標値に達したことを検出したとき、前記ドラグローラ駆動用サーボモータにスピード０を指示して前記テンションを前記所定値に維持し、前記各印刷ユニット毎に設定したインキ予備供給量に対応した時間だけ前記各印刷ユニット毎のサーボモータを駆動してインキ予備供給を行うことを特徴とする。
【００１４】
このように前記したテンション維持方法でテンションを維持し、それによってインキ予備供給を実施することにより、各印刷ユニットは個別のサーボモータで駆動されているからユニット毎にインキ予備供給時間を制御することができ、特定のインキローラを洗浄したことによって画線率に依存しない基準量のインキ膜厚と絵柄画線率に依存するインキ膜厚の両方を形成せねばならぬ場合でも、一回の印刷ユニット空転で予備供給が可能となり、従来のように画線率に依存しない基準量のインキ膜厚の形成と絵柄画線率に依存するインキ膜厚の形成を別個に行うなどの煩雑で時間のかかる方法を取らずに済み、またテンション維持も、前記したようにクランピングデバイスなどの高価な装置を用いる必要がないからオフセット輪転印刷機を安価に、簡単に構成できる。
【００１５】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１６】
図１は、本発明になるテンション維持方法及びそのテンション維持を利用したインキ予備供給方法を実施するオフセット輪転印刷機の構成概略を示した図、図２は本発明になるテンション維持方法及びそのテンション維持を利用したインキ予備供給方法を実施するオフセット輪転印刷機のドラグローラと紙押さえローラの動作を示した図、図３、図４は本発明になるテンション維持方法及びそのテンション維持を利用したインキ予備供給方法のフロー図であり、図３は本発明の第１の実施形態を、図４は本発明の第２の実施形態を示したものである。
【００１７】
図中、図５に示した従来のシャフトドライブ型オフセット輪転印刷機と同様な構成要素には同一番号を付した。１は給紙装置、２はインフィード部、３１、３２、３３、３４は各色の印刷ユニット、４は乾燥部、５はクーリング部、６はウェブパス部、７は折機部、８はテンション検出装置、９はインフィード部２の紙引き用インフィードドラグローラ、１０はテンション制御のためのダンサローラ、１１はクーリング部５のクーリングドラグローラ、１２はウェブパス部６のウェブパスドラグローラ、１３は折機部７の折機ドラグローラ、１４、１５は前記インフィード部２から折機部７までの各ユニットを個別に駆動するためのサーボモータＭをアンプ（ＡＭＰ）を介して制御するモータ制御装置、１６は印刷機全体を制御する印刷機制御装置、１７は印刷用紙（ウェブ）であり、図２において２０はドラグローラ、２１は紙押さえローラである。
【００１８】
最初にこの図１に示したオフセット輪転印刷機の動作を簡単に説明すると、給紙装置１にセットされた印刷用紙（ウェブ）１７が紙引き用のドラグローラ９とテンション調節用のダンサローラ１０などを備えたインフィード部２で引き出され、各色の印刷ユニット３１、３２、３３、３４を備えた印刷部で印刷される。そして乾燥部４で印刷インキが乾燥され、クーリング部５で冷却された後ウェブパス部６を通って折機部７で紙折りされ、断裁されて排紙される。そしてこれらの各ユニットは、各ユニットに対応して設けたサーボモータＭで個別に駆動できるようにされ、さらにこれらのサーボモータＭは、例えばインフィード部２と各色の印刷ユニット３１、３２、３３、３４に対応したサーボモータＭはモータ制御装置１４で、クーリング部５、ウェブパス部６、折機部７に対応したサーボモータＭはモータ制御装置１５で制御される。そしてこのモータ制御装置１４、１５は、全てのサーボモータを同期させて駆動するため高速通信回線でつながれ、さらに印刷機全体を制御する印刷機制御装置１６の制御を受けている。
【００１９】
そしてこのオフセット輪転印刷機における例えばインフィード部２、クーリング部５、ウェブパス部６、折機部７のそれぞれには、紙引き用のインフィードドラグ９、クーリングドラグ１１、ウェブパスドラグ１２、折機ドラグ１３などのドラグローラとそれぞれのドラグローラに対向して紙押さえ用ローラが設けられ、これらドラグローラと紙押さえローラによって印刷用紙が送られる。このドラグローラは図２に示したように、前記サーボモータＭの駆動力を受けて回転するドラグローラ２０とこのドラグローラ２０に対向して配置された紙押さえローラ２１とで構成され、この紙押さえローラ２１は、印刷機が停止している状態ではこの図２（Ａ）のようにドラグローラ２０から離れ、印刷が開始されると図２（Ｂ）のように印刷用紙１７をドラグローラ２０に押しつける。そしてこの印刷用紙１７をドラグローラ２０との摩擦力で紙引きし、紙押さえローラ２１自身は印刷用紙１７の走行に合わせて連れ廻りする。
【００２０】
このように構成したオフセット輪転印刷機において、前記したように印刷用紙１７にテンションを与えてインキ予備供給をする場合、まず図３に示した第１の実施形態では、ステップＳ３１で印刷機制御装置１６がモータ制御装置１４、１５に指示し、各ユニットに対応したサーボモータＭをテンション付与のモードで回転させて印刷用紙１７にテンションを与える。このテンション付与方法にはいろいろな方法があり、例えばインフィード部２、クーリング部５を折機部７の周速と異ならせて運転し、その周速差でテンションを張る方法、インフィード部２、クーリング部５、ウェブパス部６、折機部７で前記図２の（Ｂ）に示したように紙押さえローラ２１をドラグローラ２０に押しつけて順次紙押さえし、ジョグ駆動することによって給紙部１から供給されて印刷部３内で弛んだ印刷用紙を折機部７へ送り出す方法、給紙部１のブレーキにモータを使った回生ブレーキを用いている場合は、インフィード部２、またはクーリング部５における紙押さえローラ２１とドラグローラ２０で紙押さえし、給紙部１のモータを逆回転させると共に折機部７で紙送りすることで、印刷部３の両側で紙引きしてテンションを付与する方法などがある。
【００２１】
そしてこのようにしてテンションが付与されると、印刷機制御装置１６はステップＳ３２で、インフィード部２、クーリング部５などに設けられた図示していないテンション検出装置で印刷用紙１７のテンションを検出し、テンションが所定の値になったかどうかを判断して所定の値でない場合はステップＳ３１に戻り、所定の値になった場合はステップＳ３３でサーボモータをゆっくり回しながら停止させる。そしてステップＳ３４でサーボモータＭの速度を０と指示し、合わせて図２に示したような紙押さえローラ２１で印刷用紙１７をドラグローラ２０に押しつける。このようにサーボモータＭの速度を０と指示すると、サーボモータＭは印刷用紙１７に対してブレーキとなり、テンションを与えられた印刷用紙１７のテンションは弛むことがない。そしてステップＳ３５で紙押さえが終わったかどうか判断し、終わっていない場合はステップＳ３４に戻り、終わった場合はステップＳ３６に進む。
【００２２】
そしてこのステップＳ３６で印刷機制御装置１６は、インキ予備供給における印刷ユニット３１、３２、３３、３４の空転速度、予備供給時間などのパラメータを取得し、ステップＳ３７でこの速度をモータ制御装置１４に設定する。そして印刷ユニット３１、３２、３３、３４に対応したサーボモータＭを回転させ、ステップＳ３８でこれら印刷ユニット３１、３２、３３、３４の空転速度が設定した速度に達したかどうかを判断し、達していない場合は加速を続けると共に達した場合はステップＳ３９に進んでインキ予備供給を開始する。
【００２３】
このインキ予備供給は前記図６で説明したように、前ジョブの刷り減らしが行われ、インキ供給ローラに絵柄画線率に依存しない基準量のインキ膜厚５０のみが形成されている場合は絵柄画線率に依存するインキ膜厚５１を形成すれば良く、例えば前ジョブで特色が使われたりしてインキ供給ローラが洗浄された場合は、絵柄画線率に依存しない基準量のインキ膜厚５０と絵柄画線率に依存するインキ膜厚５１の両方を形成する必要がある。そしてこの場合は、絵柄画線率に依存しない基準量のインキ膜厚５０を最初に形成し、その後絵柄画線率に依存するインキ膜厚５１を形成する二段階形成と、一回の形成で両方のインキ膜厚に相当するインキ量を供給する簡易予備供給とがある。絵柄画線率に依存しない基準量のインキ膜厚５０の形成と絵柄画線率に依存するインキ膜厚５１の形成は、それぞれインキキー開度を異ならせて別個に行わないと正確な膜厚形成ができないが、簡易予備供給でも、全く予備供給をしない場合よりは正確な膜厚に達するまでの時間が早いため、精度が要求されない場合は用いられる。
【００２４】
そして本発明においては、前記したように各印刷ユニット３１、３２、３３、３４にはそれぞれ対応した駆動モータＭが設けられているから、インキ予備供給はそれぞれの印刷ユニット３１、３２、３３、３４で別個に行うことができる。従って前記二段階形成でも簡易予備供給でも他の印刷ユニットに影響されずに行うことができ、従来のように二段階形成を行う以外の印刷ユニットのクラッチを切ったりすることなく、簡単に行うことができる。
【００２５】
こうしてインキ予備供給が行われると印刷機制御装置１６は、次のステップＳ４０で各印刷ユニット３１、３２、３３、３４毎に前記ステップＳ３６で取得したインキ予備供給時間に達したかどうかを判断し、達した場合はステップＳ４１に進んで印刷ユニットの駆動を停止し、インキ予備供給を停止する。そして全ての印刷ユニットの駆動が停止されるとインキ予備供給が終了し、紙押さえも開放されてインキ予備供給動作が終了する。
【００２６】
このように紙引き用に対向して設置されたドラグローラと紙押さえローラを使い、紙押さえローラで印刷用紙を押さえると共にサーボモータのスピードを０とすることにより、サーボモータは印刷用紙に対してブレーキになって付与されたテンションが弛むことが無く、クランピングデバイスなどの特別な装置を設けることなく印刷用紙にかけたテンションを維持することができ、安価で確実なオフセット輪転印刷機における印刷用紙のテンション維持方法を提供することができる。
【００２７】
またインキ予備供給に当たっても、各印刷ユニットは個別のサーボモータで駆動されているから、前記したテンション維持方法でテンションを維持し、ユニット毎にインキ予備供給時間を全く別個に制御することができる。従って、特定のインキローラを洗浄したことによって画線率に依存しない基準量のインキ膜厚と絵柄画線率に依存するインキ膜厚の両方を形成せねばならぬ場合でも一回の空転で予備供給を行うことができ、従来のようにクラッチを入れたり外したりという繁雑な作業やインキ予備供給にかかる時間を削減し、合わせてテンション維持も、前記したようにクランピングデバイスなどの高価な装置を用いる必要がないから、オフセット輪転印刷機を安価に、簡単に構成できる。
【００２８】
以上が本発明になるオフセット輪転印刷機におけるテンション維持方法及びそのテンション維持を利用したインキ予備供給方法の第１の実施形態であるが、更に図４を用いて本発明の第２の実施形態について説明する。前記した第１の実施形態においては、テンションを与えた後に紙押さえローラで印刷用紙を押さえてテンションを維持するように説明してきたが、第２の実施形態においては、最初にインフィードドラグローラ９とクーリングドラグローラ１１の紙押さえローラで印刷用紙を押さえ、インフィードドラグローラ９を駆動するサーボモータにはゼロ速度指令（スピード０）を、クーリングドラグローラ１１を駆動するサーボモータには定トルク運転指令を与えるものである。なお、前述した第１の実施形態における（図３）インキ予備供給に関するステップＳ３６からステップＳ４１までは、この図４に示した第２の実施形態においても全く同一動作なので同一ステップ番号を付した。
【００２９】
この第２の実施形態においては、まずステップＳ６１、６２において、前記したようにインフィードドラグローラ９とクーリングドラグローラ１１の紙押さえローラで印刷用紙を押さえ（紙押さえ着）、そして次のステップＳ６３でインフィードドラグローラ９を駆動するサーボモータの目標速度を０に設定する。そしてステップＳ６４でクーリングドラグローラ１１を駆動するサーボモータを、印刷用紙が所定の値のテンションとなるように目標トルクを定めて定トルク運転する。すなわち、インフィード部２からクーリング部５の間における印刷用紙のテンションが所定の値に達したとき、トルクが制御目標値に達するよう設定してクーリングドラグローラ１１を駆動するサーボモータの定トルク運転を実施するわけである。
【００３０】
するとクーリングドラグローラ１１は、インフィード部２からクーリング部５の間における印刷用紙をウェブパス６に送り出し、インフィード部２からクーリング部５の間における印刷用紙のテンションが所定の値に達したときに回転を停止する。そこでこの状態をステップＳ６５で検出し、インフィードドラグローラ９を駆動するサーボモータにはゼロ速度指令（スピード０）を指示する。そのため印刷用紙は与えられたテンションを維持するから、次のステップＳ３６からステップＳ４１において、前記図３における説明のようにこの用紙送り速度０、かつ、該テンションを維持している状態で、印刷ユニットを空転してインキ予備供給動作を行えば良い。
【００３１】
このように紙押さえローラで印刷用紙を押さえ、ドラグローラによってテンション付与すると共にテンションが所定値になったことを検出してサーボモータのスピードを０とすることにより、サーボモータは印刷用紙に対してブレーキになって付与されたテンションが弛むことが無く、クランピングデバイスなどの特別な装置を設けることなく印刷用紙にかけたテンションを維持することができ、安価で確実なオフセット輪転印刷機における印刷用紙のテンション維持方法、及び維持されたテンションの元にインキ予備供給を行なう方法を提供することができる。
【００３２】
【発明の効果】
以上記載の如く請求項１及び２に記載した本発明によれば、紙引き用のドラグローラと紙押さえローラを用い、テンションが所定値になった時に紙押さえローラで印刷用紙を押さえる、あるいは紙押さえローラで印刷用紙を押さえ、ドラグローラによってテンション付与すると共にテンションが所定値になったことを検出し、サーボモータのスピードを０とすることにより、サーボモータは印刷用紙に対してブレーキになって付与されたテンションが弛むことが無く、クランピングデバイスなどの特別な装置を設けることなく印刷用紙にかけたテンションを維持することができ、安価で確実なオフセット輪転印刷機における印刷用紙のテンション維持方法を提供することができる。
【００３３】
そして請求項３に記載した本発明によれば、インフィード部とクーリング部で紙押さえしてテンションを維持することによって、印刷部に最も近い位置でテンションを維持することができ、テンション維持を確実に行うことができる。
【００３４】
そして請求項４及び５に記載した本発明によれば、前記したテンション維持方法でテンションを維持し、それによってインキ予備供給を実施することにより、各印刷ユニットは個別のサーボモータで駆動されているからユニット毎にインキ予備供給時間を制御することができ、特定のインキローラを洗浄したことによって画線率に依存しない基準量のインキ膜厚と絵柄画線率に依存するインキ膜厚の両方を形成せねばならぬ場合でも印刷ユニットの一回の空転で予備供給でき、従来のように画線率に依存しない基準量のインキ膜厚の形成と絵柄画線率に依存するインキ膜厚の形成を別個に行うなどの煩雑で時間のかかる方法を取らずに済み、またテンション維持も、前記したようにクランピングデバイスなどの高価な装置を用いる必要がないからオフセット輪転印刷機を安価に、簡単に構成できる。
【図面の簡単な説明】
【図１】  本発明になるテンション維持方法及びそのテンション維持を利用したインキ予備供給方法を実施するオフセット輪転印刷機の構成概略を示した図である。
【図２】  本発明になるテンション維持方法及びそのテンション維持を利用したインキ予備供給方法を実施するオフセット輪転印刷機のドラグローラと紙押さえローラの動作を示した図である。
【図３】  本発明になるテンション維持方法の第１実施形態及びそのテンション維持を利用したインキ予備供給方法のフロー図である。
【図４】  本発明になるテンション維持方法の第２実施形態及びそのテンション維持を利用したインキ予備供給方法のフロー図である。
【図５】  従来のシャフトドライブ型オフセット輪転印刷機の構成を説明するための図である。
【図６】  インキ予備供給でインキローラ上へ形成するインキ膜厚を説明するための図である。
【符号の説明】
１  給紙装置
２  インフィード部
３１、３２、３３、３４  印刷ユニット
４  乾燥部
５  クーリング部
６  ウェブパス部
７  折機部
８  テンション検出装置
９  インフィードドラグローラ
１０  ダンサローラ
１１  クーリングドラグローラ
１２  ウェブパスドラグローラ
１３  折機ドラグローラ
１７  印刷用紙（ウェブ）
Ｍ  サーボモータ
【図１】
0004160749.tif 000002
【図２】
0004160749.tif 000003
【図３】
0004160749.tif 000004
【図４】
0004160749.tif 000005
【図５】
0004160749.tif 000006
【図６】
0004160749.tif 000007